(57)【要約】【課題】  操作者が画像診断装置から離れた場合には、画像診断装置の操作が行われても、動作しないようにした画像診断装置を提供する。【解決手段】  被検体Ｐを所定の位置へ移動可能に載置し、被検体Pを撮影する撮影部５と、被検出体発信部１５０の信号を受信する被検出体受信部６からなり、被検出体受信部６における被検出体発信部１５０からの信号が受信許容範囲外のとき、近接操作部９１からの撮影部５への操作が行われないようにする。【選択図】  図１
2006197964.tif 000002
【特許請求の範囲】
【請求項１】
被検体の撮影を行うための撮影手段および撮影のために被検体を載置し所定位置に移動可能に構成された寝台部とからなる画像診断手段と、
前記画像診断手段を操作する遠隔操作手段と、
前記画像診断手段の近傍に配置した近接操作手段と、
前記画像診断手段の近傍に配置した被検出体受信手段と、
前記被検出体受信手段に信号を与える被検出体発信手段とから成り、
前記被検出体受信手段は、被検出体発信手段からの信号の受信許容範囲が設定されていることを特徴とする画像診断装置。
【請求項２】
前記被検出体受信手段は、被検出体発信手段からの信号が受信許容範囲外のとき、前記近接操作手段からの撮影手段または寝台部の少なくとも一方への操作が行われないようにしたことを特徴とする請求項１に記載の画像診断装置。
【請求項３】
前記被検出体受信手段は、被検出体発信手段からの信号が受信許容範囲外のとき、前記近接操作手段からの画像診断手段への操作が行われないようにしたことを特徴とする請求項１に記載の画像診断装置。
【請求項４】
撮影室及び操作室に区画された画像診断室と、
前記撮影室内に配置された被検体の撮影を行うための撮影手段および撮影のために被検体を載置し所定位置に移動可能に構成された寝台部とからなる画像診断手段と、
前記操作室内に配置された画像診断手段を操作する遠隔操作手段と、
前記撮影室内の前記画像診断手段の近傍に配置した近接操作手段と、
前記画像診断手段の近傍に配置した被検出体受信手段と、
前記被検出体受信手段に信号を与える被検出体発信手段とから成り、
前記被検出体受信手段は、被検出体発信手段からの信号の受信許容範囲が設定され、
前記被検出体受信手段は、被検出体発信手段からの信号が受信許容範囲外のとき、前記近接操作手段からの撮影手段または寝台部の少なくとも一方への操作が行われないようにしたことを特徴とする画像診断設備。
【請求項５】
前記被検出体受信手段は、被検出体発信手段からの信号が受信許容範囲外のとき、前記近接操作手段からの画像診断手段への操作が行われないようにしたことを特徴とする請求項４に記載の画像診断設備。
【発明の詳細な説明】
【技術分野】
【０００１】
本発明は、画像診断装置及び画像診断設備に係り、特に画像診断に用いられる安全性の高い画像診断装置及び画像診断設備に関する。
【背景技術】
【０００２】
Ｘ線診断装置、Ｘ線ＣＴ装置、MRI装置などの画像診断装置は、被検体の撮影を行うための撮影部と、撮影のために被検体を載置し、所望の方向に移動するための寝台部を備えている。この寝台部は被検体を載置するための天板と、この天板を支持し移動させるための駆動部を備えており、天板上に載置された被検体の様々の方向からの撮影を可能にしている。
【０００３】
ところで、画像診断装置には、寝台部から離れた箇所から撮影や寝台部の夫々の操作を行う遠隔操作部と、寝台部の近傍で撮影や寝台部の夫々の操作を行う近接操作部を備えている（例えば、特許文献１参照。）。
【０００４】
そして、被検体を寝台部の天板上に載置して画像診断装置を用いて撮影を行うに当たっては、撮影中における撮影と寝台部の操作は遠隔操作部で行われ、それ以外の撮影前の被検体を天板に載せて撮影開始方向に設定するまでの段階、及び撮影終了してから被検体を天板から降ろすまでの段階における撮影と寝台部の操作は、操作者が被検体の傍にいる必要があるので、近接操作部から操作が行われる。
【特許文献１】特開平７―３２７９８４号公報（第３頁、図１）
【発明の開示】
【発明が解決しようとする課題】
【０００５】
しかし、画像診断装置に電源を投入し、更に近接操作部を被検体の近傍に置いた状態の時で、操作者が撮影準備のために画像診断装置から離れた際に、被検体が誤って近接操作部のスイッチに触れる恐れがあり、誤操作によってＸ線の照射あるいは天板の移動など被検体を危険にさらす恐れがあった。
【０００６】
このような危険から被検体の安全を確保するには、操作者が被検体から離れる際に、画像診断装置の電源をＯＦＦする以外によい方法がなかった。
【０００７】
ところが、画像診断装置の電源をＯＦＦしてしまうと、今度は電源をＯＮして撮影可能に立ち上げるまでに時間を要し、被検体に負担をかけることになる。また、電源をＯＦＦするのを忘れる可能性もある。
【０００８】
本発明は、上記問題点を解決するためになされたもので、操作者が画像診断装置から離れた場合には、画像診断装置の操作が行われても、動作しないようにした画像診断装置を提供することを目的としている。
【課題を解決するための手段】
【０００９】
上記問題を解決するために、請求項１に係る本発明の画像診断装置は、被検体の撮影を行うための撮影手段および撮影のために被検体を載置し所定位置に移動可能に構成された寝台部とからなる画像診断手段と、前記画像診断手段を操作する遠隔操作手段と、前記画像診断手段の近傍に配置した近接操作手段と、前記画像診断手段の近傍に配置した被検出体受信手段と、前記被検出体受信手段に信号を与える被検出体発信手段とから成り、前記被検出体受信手段は、被検出体発信手段からの信号の受信許容範囲が設定されていることを特徴とする。
【００１０】
また、請求項４に係る本発明の画像診断設備は、撮影室及び操作室に区画された画像診断室と、前記撮影室内に配置された被検体の撮影を行うための撮影手段および撮影のために被検体を載置し所定位置に移動可能に構成された寝台部とからなる画像診断手段と、前記操作室内に配置された画像診断手段を操作する遠隔操作手段と、前記撮影室内の前記画像診断手段の近傍に配置した近接操作手段と、前記画像診断手段の近傍に配置した被検出体受信手段と、前記被検出体受信手段に信号を与える被検出体発信手段とから成り、前記被検出体受信手段は、被検出体発信手段からの信号の受信許容範囲が設定され、前記被検出体受信手段は、被検出体発信手段からの信号が受信許容範囲外のとき、前記近接操作手段からの撮影手段または寝台部の少なくとも一方への操作が行われないようにしたことを特徴とする。
【発明の効果】
【００１１】
本発明によれば、操作者が画像診断装置から所定の距離以上離れた場合に、被検体が画像診断装置の操作部に誤って触れて操作しても、画像診断装置が動作しないようにしたので被検体の安全を確保することができる。
【発明を実施するための最良の形態】
【００１２】
以下、図面を参照して本発明の実施例を説明する。
【実施例】
【００１３】
本発明の実施例の特徴は、画像診断装置に設けた被検出体受信部が、操作者が携帯する被検出体発信部からの信号を受信し、受信した信号の受信レベルが所定の受信許容範囲から外れた場合、近接操作部からの画像診断装置への操作の入力信号を受け付けないようにすることにある。
【００１４】
なお、本発明の実施例は、Ｘ線診断装置、Ｘ線ＣＴ装置ＭＲＩ装置等の画像診断装置全てに適用可能であるが、以下に説明する実施例では、Ｘ線診断装置を例にとって説明する。
【００１５】
本発明の実施例におけるＸ線診断装置の構成につき図１及び図２を用いて説明する。図１は、Ｘ線診断装置全体の構成を示すブロック図であり、図２は、画像診断装置の寝台部の動作を示す図である。
【００１６】
Ｘ線診断装置１００は、Ｘ線を被検体Ｐに対して照射するＸ線発生部１と、被検体Ｐを透過したＸ線を二次元的に検出すると共に、このＸ線検出データに基づいてＸ線投影データを生成するＸ線検出部２と、被検体Ｐを載置する天板１７と、天板１７を移動可能に保持する天板支持台１５と、Ｘ線発生部１、Ｘ線検出部２及び天板支持台１５を保持するアーム１３と、Ｘ線発生部１におけるＸ線照射に必要な高電圧を発生する高電圧発生部４を備えている。
【００１７】
また、Ｘ線診断装置１００は、アーム１３或いは天板１７の移動を行なう機構部３と、Ｘ線検出部２において生成されたＸ線投影データに基づいて撮影画像データや透視画像データの生成と保存を行なう画像処理部７と、この画像処理部７に保存されている画像データの中から所望の画像データを表示する表示部８を備えている。
【００１８】
更に、Ｘ線診断装置１００は、被検体情報、撮影条件、表示条件など画像データの表示に関する諸条件の選択や入力、種々のコマンドの入力、機構部３の操作を行う操作部９と、操作部９を操作する操作者が携帯する被検出体発信部１５０の信号を受信する詳細を後述する被検出体受信部６と、Ｘ線診断装置１００の上記各ユニットを統括して制御するシステム制御部１０を備えている。
【００１９】
Ｘ線発生部１は、被検体Ｐに対しＸ線を照射するＸ線管１１と、Ｘ線管１１から照射されたＸ線に対してＸ線錘（コーンビーム）を形成するＸ線絞り器１２を備えている。Ｘ線管１１はＸ線を発生し、Ｘ線絞り器１２は、Ｘ線管１１と被検体Ｐの間に位置し、Ｘ線管１１から照射されたＸ線ビームを所定の照射視野のサイズに絞り込む機能を有している。
【００２０】
Ｘ線検出部２では、イメージインテンシファイア２１が被検体Ｐを透過したＸ線を検出して光に変換し、変換した光をテレビカメラ２２の撮影により電気信号である画像データに形成される。
【００２１】
機構部３は、Ｘ線発生部１及びＸ線検出部２を被検体Ｐに相対的に移動させるために、天板１７を移動する天板移動機構３２と、Ｘ線発生部１、Ｘ線検出部２、天板支持台１５及びこれらを保持するアーム１３を所定方向に所定角度起倒するアーム起倒・移動機構３１と、アーム起倒・移動機構３１及び天板移動機構３２を制御するアーム・天板機構制御部３３を備えている。
【００２２】
次に、図２は、機構部３によって駆動されるアーム１３及び天板１７の動作を説明するための撮影部５を示す図である。アーム１３を移動させるためのアーム起倒・移動機構３１の概略構成を示した図２（ａ）では、アーム１３は床に設置された寝台支持台１９に支持され、Ｘ線発生部１、Ｘ線検出部２、天板１７及び天板支持台１５が、寝台支持台１９に対してＬ１方向へ上下自在なアーム１３に保持されている。
【００２３】
また、図２（ｂ）では、Ｘ線発生部１、Ｘ線検出部２、天板１７及び天板支持台１５が、寝台支持台１９に対して実線及び破線で示したＲ１方向の角度へ起倒自在なアーム１３に保持されている。
【００２４】
更に、図２（ｃ）では、天板１７が、天板１７の長手方向であるＬ２と、幅方向であるＬ３方向へスライド可能に天板支持台１５に支持されている。
【００２５】
そして、アーム１３は前記Ｒ１方向への起倒と、天板１７はＬ１及びＬ２へのスライドを行い、これらの移動により被検体Ｐの任意の姿勢及び位置からのＸ線撮影を可能としている。
【００２６】
次に、図１に示した高電圧発生部４は、Ｘ線管１１の陰極から発生する熱電子を加速するために、陽極と陰極の間に印加する高電圧を発生させる高電圧発生器４２と、システム制御部１０からの指示信号に従い、高電圧発生器４２における管電流、管電圧、照射時間等のＸ線照射条件の制御を行なうＸ線制御部４１を備えている。
【００２７】
画像処理部７は、表示部８において表示される透視画像データ、撮影画像データを生成する機能を有し、Ｘ線検出部２で出力されたＸ線投影データに対して種々の画像処理を行なって撮影画像データと透視画像データを生成し保存を行なう。
【００２８】
表示部８は、画像処理部７の画像データ記憶領域に保存されている透視画像データや撮影画像データの表示を行うためのものであり、液晶、あるいはＣＲＴのモニタを備えている。
【００２９】
操作部９は、撮影部５から離れた位置からの操作によりＸ線撮影、アーム１３或いは天板１７の移動を行う遠隔操作部９０と、撮影部５の近くでＸ線撮影、アーム１３或いは天板１７の移動を行う近接操作部９１からなり、夫々キーボード、トラックボール、ジョイスティック、マウスなどの入力デバイスや表示パネル、更には、各種スイッチ等を備えたインターラクティブなインターフェイスであり、被検体情報や撮影対象部位の入力、Ｘ線撮影や透視の操作、アーム１３及び天板１７の移動による撮影方向などの各種撮影条件の設定、各種コマンドの入力を行う。
【００３０】
また、遠隔操作部９０及び近接操作部９１には、夫々遠隔操作部９０或いは近接操作部９１のいずれか一方からの操作を指定するスイッチがあり、指定された操作部からのみ操作可能になっている。近接操作部９１は撮影部５に設置するようにしても、撮影部５の近傍に移動可能に設置するようにしても何れでもよいが本実施例では撮影部５の近傍に移動可能に設置した例で説明する。尚撮影部５に設置する場合は、例えば天板支持台に取り付けることができる。
【００３１】
前記被検出体受信部６は、所定の周波数の電波を受信する受信機と、受信した信号を処理する処理回路を備え、Ｘ線診断装置１００の操作者が携帯する被検出体発信部１５０から発信された前記所定の周波数の電波を受信し、受信した信号を処理してシステム制御部１０に送る。また、被検出体発信部１５０は、被検出体受信部６のみが信号を受信できるように前記所定の周波数の電波を発信するとともに、操作者が携帯可能に構成されている。
【００３２】
そして、被検出体受信部６における受信信号の受信レベルの許容範囲即ち受信許容範囲を設定しておくことにより、被検出体受信部６の受信信号が受信許容範囲から外れた場合には、システム制御部１０は近接操作部９１からの操作による入力信号を受け付けないように制御し、従って近接操作部９１を操作してもＸ線診断装置は動作しないようになっている。
【００３３】
次に、システム制御部１０は、図示しないＣＰＵと記憶回路を備え、操作部９から供給される操作者のコマンド信号や撮影条件などの情報を一旦記憶した後、これらの情報に基づいたＸ線投影データの生成、上述の各種画像データの生成と表示、移動機構、或いは被検出体受信部６からの信号に基づく操作部９に関する制御などシステム全体の制御を行う。
【００３４】
図３は、Ｘ線の管理範囲外への漏洩を防ぐためのＸ線撮影室１０１内における図１のＸ線診断装置１００の撮影部５、遠隔操作部９０、近接操作部９１、及び被検出体受信部６の配置例を示した診断設備を示す図である。
【００３５】
Ｘ線撮影室１０１は、撮影部５、被検出体受信部９、及び近接操作部９１を配置した撮影室１０２と、この撮影室１０２と隔離された遠隔操作部９０を配置した操作室１０３からなる。また、Ｘ線撮影室１０１は、撮影室１０２からＸ線撮影室１０１の外部への出入口１０４と、撮影室１０２と操作室１０３間の出入口１０５と、操作室１０３からＸ線撮影室１０１の外部への出入口１０６を有し、夫々の出入口にはＸ線の漏洩を防ぐドアを備えている。
【００３６】
先ず、Ｘ線診断装置１００の各ユニットを設置した際に、撮影部５の近傍に被検出体受信部６を設ける。また、操作者が被検出体受信部６から離れて被検体Ｐの監視が可能な範囲を設定し、監視可能な範囲の限界領域において被検出体発信部１５０が発する電波の被検出体受信部６の受信レベルを下限値とする受信許容範囲を、予め被検出体受信部６に設定しておく。
【００３７】
例えば、被検出体受信部６を、撮影室１０２の図中の撮影部５の近傍位置に設置し、操作者の監視可能である範囲の境界線がＸ線撮影室１０１内の壁面とした場合、監視可能な範囲の境界線の最短部は出入口１０４になるので、操作者が携帯する被検出体発信部１５０の位置が出入口１０４付近にあるとき被検出体受信部６の受信レベルが下限値となるように、被検出体受信部６の前記受信許容範囲を設定する。
【００３８】
次に、図４を、図１乃至図３をも参照して、被検体Ｐの撮影の際の手順について説明する。被検体Ｐに対してＸ線診断を行う場合、被検出体発信部１５０を携帯した操作者は、被検体Ｐを撮影室１０２に入れ（ステップＳ１）、Ｘ線診断装置１００の図示しない電源および寝台部の電源を入れ、撮影部５の近くに移動可能に配置した近接操作部９１を操作して、被検体Ｐが撮影部５の天板１７に乗降し易い高さまで図２のアーム１３を下げる。
【００３９】
次いで、被検体Ｐを天板１７上に載せた後（ステップＳ２）、近接操作部９１を操作してアーム１３を所定の高さまで上げて、図２のアーム１３或いは天板１７をＲ１、Ｌ２、或いはＬ３方向へ移動し、被検体ＰをＸ線撮影の撮影開始位置に移動させる（ステップＳ３）。
【００４０】
被検体Ｐを撮影開始位置に設定後、操作者は操作室１０３に移動し、出入口１０４乃至１０６を閉じた後、遠隔操作部９０を操作してＸ線撮影を行う（ステップＳ４）。そして、Ｘ線撮影終了後、操作者は撮影室１０２に移動し、近接操作部９１を操作して被検体Ｐを天板１７から降ろした後（ステップＳ５）、Ｘ線撮影室１０１の外部に退出した時点で終了する（ステップＳ６）。
【００４１】
ところで、前述したＸ線撮影手順のＸ線撮影中を除くステップＳ１乃至ステップＳ６において、操作者が例えば天板１７に設置する補助具の準備等、或いは所用でＸ線撮影室１０１から外部へ出ることがある。
【００４２】
このように、操作者がＸ線撮影室１０１から退出した時点で、Ｘ線撮影室１０１内の被検出体受信部６が検出する被検出体発信部１５０からの信号レベルが受信許容範囲から外れるので、近接操作部９１は、これを操作しても操作による入力信号を受けなくなり、その結果被検体Ｐの誤操作によるＸ線撮影、アーム１３のＬ１及びＲ１方向への移動、天板１７のＬ２及びＬ３方向への移動等の動作は阻止される。
【００４３】
以上述べたように本発明の実施例によれば、被検体Ｐの近傍に位置する近接操作部９１の誤操作によるＸ線撮影、天板及びアームの動作が阻止されるので、被検体Ｐの安全を確保することができる。
【００４４】
以上述べたように本発明の実施例によれば、操作者が画像診断装置をＯＮした状態で所定の距離以上離れた場合に、被検体が誤って近接操作部のスイッチに触れても、誤操作によるＸ線の照射、天板及びアームの動作が阻止されるので、被検体の安全を確保することができる。
【図面の簡単な説明】
【００４５】
【図１】本発明の実施例に係るＸ線診断装置の構成を示す図。
【図２】本発明の実施例に係るＸ線診断装置のアーム及び天板の移動方向を示す図。
【図３】本発明の実施例に係るＸ線診断装置のＸ線撮影室への配置を示す設備図。
【図４】本発明の実施例に係るＸ線診断装置による撮影の手順を示す図。
【符号の説明】
【００４６】
Ｐ  被検体
１  Ｘ線発生部
２  Ｘ線検出部
３  機構部
５  撮影部
６  被検出体受信部
９  操作部
１０  システム制御部
１７  天板
３１  アーム起倒・移動機構
３２  天板移動機構
３３  アーム・天板機構制御部
９０  遠隔操作部
９１  近接操作部
１５０  被検出体発信部
【図１】
2006197964.tif 000003
【図２】
2006197964.tif 000004
【図３】
2006197964.tif 000005
【図４】
2006197964.tif 000006